(57)【特許請求の範囲】
【請求項１】
河川の横断方向両岸のコンクリート堤体間に鋼製スリットダムが設置された砂防堰堤であって、
コンクリート堤体間の基礎コンクリート上に下端部を仮固定して建てた柱材の上端部のフランジと、河川の横断方向に配置した梁材から下向きに突設された柱頭部のフランジとが接合されており、
コンクリート堤体には、河川中央を向く面の梁設置位置に鞘管が予め埋め込まれており、
前記コンクリート堤体に埋め込まれた鞘管内へ、フランジ付の梁端部材が挿入され、該梁端部材のフランジと梁材のフランジとを接合して梁を完成し鋼製スリットダムが構成されており、
前記基礎コンクリート上へ打設した増し打ちコンクリートにより仮固定した柱材の下端部を埋めて本固定されていることを特徴とする、砂防堰堤。
【請求項２】
鋼製スリットダムを平面的に見て、梁の下流側に、水平方向の繋ぎ材を介して下流側梁材が接合されており、同下流側梁材の両端部は、コンクリート堤体の河川中央を向く面の梁設置位置に予め埋め込まれた鞘管内へ挿入した梁端部材とフランジで接合されていることを特徴とする、請求項１に記載した砂防堰堤。
【請求項３】
鋼製スリットダムを構成する梁材は、高さ方向に複数本設けられており、同梁材の両端部は、コンクリート堤体の河川中央を向く面の梁設置位置に予め埋め込まれた鞘管内へ挿入した梁端部材とフランジで接合されていることを特徴とする、請求項１又は２に記載した砂防堰堤。
【請求項４】
コンクリート堤体に埋め込まれた鞘管は、固定金具により位置決めしてコンクリート中に埋め込まれていることを特徴とする、請求項１〜３のいずれか一に記載した砂防堰堤。
【請求項５】
梁端部材は、同梁端部材と鞘管との間に生じる空隙に伸縮性の有る充填材を充填して位置決めされ、又は固定金具により鞘管内で位置決めされていることを特徴とする、請求項１〜４のいずれか一に記載した砂防堰堤。
【請求項６】
鋼製スリットダムを構成する柱材は、河川の横断方向両岸のコンクリート堤体間に複数本建てられていることを特徴とする、請求項１に記載した砂防堰堤。
【請求項７】
柱材は、コンクリート堤体間の基礎コンクリート上へ、その下端部がアンカーにより仮固定され、又は鞘管を用いて建てられ、更に基礎コンクリート上へ増し打ちしたコンクリートにより下端部を埋めて本固定されていることを特徴とする、請求項１又は６に記載した砂防堰堤。
【請求項８】
河川の横断方向両岸のコンクリート堤体間に鋼製スリットダムを設置する砂防堰堤の施工方法であって、
河川中央を向く面の梁設置位置へ梁端部材を挿入する鞘管を埋め込んだコンクリート堤体を構築する段階と、
前記コンクリート堤体間の基礎コンクリート上に柱材を建てる段階と、
前記コンクリート堤体へ予め埋め込んだ鞘管内へフランジ付の梁端部材を挿入し、下向きに柱頭部が突設された梁材を前記コンクリート堤体間の河川横断方向へ配置し、同梁材のフランジと前記梁端部材のフランジとを接合して梁を完成し、更に梁材の前記下向きに突設された柱頭部と前記コンクリート堤体間の基礎コンクリート上に建てた柱材の上端部とをフランジで接合し、同柱材の下端部は基礎コンクリート上へ打設した増し打ちコンクリートにより埋めて本固定する段階とからなることを特徴とする、砂防堰堤の施工方法。
【請求項９】
柱材は、その下端部をアンカーによりコンクリート堤体間の基礎コンクリート上に仮固定して、又は鞘管を用いて基礎コンクリート上に建て、その後基礎コンクリート上に打設した増し打ちコンクリートにより下端部を埋めて本固定することを特徴とする、請求項８に記載した砂防堰堤の施工方法。
【発明の詳細な説明】
【技術分野】
【０００１】
この発明は、コンクリート堤体間へ鋼製スリットダムを設置した砂防堰堤、及びその施工方法の技術分野に属し、更に云えば、施工性及び経済性に優れた砂防堰堤及びその施工方法に関する。
【背景技術】
【０００２】
我が国は、急峻な地形を有し脆弱な地質で構成されているため、梅雨や台風における豪雨等による巨礫や流木等の土砂災害によって多大な被害を被ることが知られている。そのため、土砂災害において出水に含まれる比較的小さい石や土砂は透過させて下流に流し、巨礫は押し止めて下流に流れることを防ぎ、二次災害を未然に防ぐ砂防堰堤の技術が種々開発されている。その一例として、下記特許文献１及び２には、コンクリート堤体間へ、複数の柱材及び該柱材を連結する梁材とで構成された立体構造の砂防堰堤を設置する技術が開示されている。しかし、この砂防堰堤は立体構造であるが故に、現場での組立作業に手間が掛かること、巨礫や流木等の捕捉で損傷した部材の修復や堆積土砂・礫の除去作業が難いこと、複雑な構成で部品点数が非常に多く製造コストが嵩むこと、等々多くの問題点がある。そこで、前記問題を解決する砂防堰堤として、例えば下記特許文献３には、下端部を基礎コンクリートに埋設して建て込まれた柱材の頭部に、河川横断方向に配置しコンクリート堤体へ直接埋め込み固定した梁材を接合して平面構造とした構成であると記載されている。この砂防堰堤は、土石流や流木等の衝撃力を直接梁材及び柱材で受け止めると共に、その衝撃力をコンクリート堤体と基礎コンクリートへ伝達する構成であり、面外荷重に対して安全性の高い構造である。
【０００３】
下記特許文献４に開示された砂防堰堤は、下端部を基礎コンクリートに埋設して建て込まれた柱材の頭部に、予めコンクリート堤体へ埋め込まれたアンカーへ溶接又はボルト接合等の接合手段で固定した梁材が接合された平面構造である。
【０００４】
また、下記特許文献５に開示された砂防堰堤は、コンクリート堤体に梁材の両端部を支持する収納部が形成されており、該収納部へ両端部が支持された梁材が、同梁材を貫通する鋼製の棒材で固定されている。前記梁材と柱材とが一体的に連結されている。柱材の下端部は、基礎コンクリートに埋め込まれて固定されている。
【０００５】
【特許文献１】特許第２６０７３３６号公報
【特許文献２】特公平５−２０５０号公報
【特許文献３】特開２００２−１２１７２８号公報
【特許文献４】特公昭５９−４０９６６号公報
【特許文献５】特開２００１−３０３５３８号公報
【発明の開示】
【発明が解決しようとする課題】
【０００６】
上記特許文献３に開示された砂防堰堤は、梁材の両端部を直接コンクリート堤体へ埋め込み固定する構成なので、温度変化よってコンクリートや梁材、柱材が伸縮すると、熱応力によるコンクリートのひび割れが問題となる。また、土石流、流木を捕捉した後には、それらを除去するため、鋼製スリットダムも合わせて除去する場合もあるが、梁材や柱材を直接本体部に埋め込んでいると除去に手間がかかる。さらに、砂防堰堤の施工方法の具体的な記述はないが、一般的な施工方法では、先ず、梁材と柱材を組合せて連結した鋼製スリットダムを形成し、その後、前記鋼製スリットダムへ堤体本体部コンクリートを打設する手順が行われる。しかし、この施工方法では、コンクリート堤体を打設する際に、鋼製スリットダムが倒れないように安全性を確保する手段が必要となり、施工性及び経済性に問題がある。
【０００７】
上記特許文献４に開示された砂防堰堤も、梁材は、その両端部をコンクリート堤体へ埋め込んだアンカーを介して固定する構成なので、やはり、温度変化によってコンクリートや梁材、柱材が伸縮すると、熱応力によりコンクリートがひび割れる。その上、予め堤体本体部コンクリートへ埋め込んだアンカーを介して梁材の両端部を固定するには、施工誤差が問題となる。
【０００８】
上記特許文献５に開示された砂防堰堤は、コンクリート堤体に固定される梁材が棒材によってのみ固定された構成であるから、巨礫や流木等による強い衝撃に弱く十分な捕捉が得られない問題がある。また、コンクリート堤体へ、梁材の両端部を支持する収納部を設ける必要があるなど、施工性及び経済性にも問題がある。
【０００９】
本発明の目的は、温度変化によるコンクリートや梁材、柱材の伸縮歪や熱応力を吸収可能なスライド可能構造を採用し、コンクリートのひび割れを抑止する砂防堰堤及びその施工方法を提供することである。
【００１０】
本発明の次の目的は、梁材をコンクリート堤体へ設置するに際し、その施工誤差を吸収可能な構成であり、しかも、梁材及び柱材を着脱可能とし、土石流、流木を捕捉した後に、それらの除去のため、鋼製フレームを取り外して工事できるようにして、工事を簡単にでき、鋼製フレームも簡単に交換でき、鋼製砂防ダムを容易に復旧できる砂防堰堤及びその施工方法を提供することである。
【００１１】
本発明の更なる目的は、コンクリートを打設してコンクリート堤体を構築する作業と、梁材と柱材とより成る鋼製スリットダムの組立作業とを分離可能とし、施工性及び経済性に優れた砂防堰堤及びその施工方法を提供することである。
【課題を解決するための手段】
【００１２】
上述した従来技術の課題を解決するための手段として、請求項１に記載した発明に係る砂防堰堤は、
河川の横断方向両岸のコンクリート堤体２、２間に鋼製スリットダム６が設置された砂防堰堤１であって、
コンクリート堤体２、２間の基礎コンクリート５上に下端部を仮固定して建てた柱材８の上端部のフランジ８ｂと、河川の横断方向に配置した梁材７ａから下向きに突設された柱頭部８ａのフランジ８ｂとが接合されており、
コンクリート堤体２には、河川中央を向く面の梁設置位置に鞘管１０が予め埋め込まれており、
前記コンクリート堤体２に埋め込まれた鞘管１０内へ、フランジ付の梁端部材７ｂが挿入され、該梁端部材７ｂのフランジ７ｆと梁材７ａのフランジ７ｆとを接合して梁７を完成し鋼製スリットダム６が構成されており、
前記基礎コンクリート５上へ打設した増し打ちコンクリート５’により仮固定した柱材８の下端部を埋めて本固定されていることを特徴とする。
【００１３】
請求項２に記載した発明は、請求項１に記載した砂防堰堤において、
鋼製スリットダム６を平面的に見て、梁７の下流側に、水平方向の繋ぎ材１１を介して下流側梁材９が接合されており、同下流側梁材の両端部は、コンクリート堤体の河川中央を向く面の梁設置位置に予め埋め込まれた鞘管１０内へ挿入した梁端部材とフランジで接合されていることを特徴とする。
【００１４】
請求項３に記載した発明は、請求項１又は２に記載した砂防堰堤において、
鋼製スリットダム６を構成する梁材７ａは、高さ方向に複数本設けられており、同梁材７ａの両端部は、コンクリート堤体２の河川中央を向く面の梁設置位置に予め埋め込まれた鞘管１０内へ挿入した梁端部材７ｂとフランジで接合して梁が構成されていることを特徴とする。
【００１５】
請求項４に記載した発明は、請求項１〜３のいずれか一に記載した砂防堰堤において、
コンクリート堤体２に埋め込まれた鞘管１０は、固定金具１２により位置決めしてコンクリート中に埋め込まれていることを特徴とする。
【００１６】
請求項５に記載した発明は、請求項１〜４のいずれか一に記載した砂防堰堤において、
梁端部材７ｂは、同梁端部材７ｂと鞘管１０との間に生じる空隙に伸縮性の有る充填材を充填して位置決めされ、又は固定金具により鞘管１０内で位置決めされていることを特徴とする。
【００１７】
請求項６に記載した発明は、請求項１に記載した砂防堰堤において、
鋼製スリットダム６を構成する柱材８は、河川の横断方向両岸のコンクリート堤体２、２間に複数本建てられていることを特徴とする。
【００１８】
請求項７に記載した発明は、請求項１又は６に記載した砂防堰堤において、
柱材８は、コンクリート堤体２、２間の基礎コンクリート５上へ、その下端部がアンカー１４により仮固定され、又は鞘管１５を用いて建てられ、基礎コンクリート５上へ更に増し打ちしたコンクリート５’により下端部を埋めて本固定されていることを特徴とする。
【００１９】
請求項８に記載した発明に係る砂防堰堤の施工方法は、
河川の横断方向両岸のコンクリート堤体２、２間に鋼製スリットダム６を設置する砂防堰堤の施工方法であって、
河川中央を向く面の梁設置位置へ梁端部材７ｂを挿入する鞘管１０を埋め込んだコンクリート堤体２を構築する段階と、
前記コンクリート堤体２、２間の基礎コンクリート５上に柱材８を建てる段階と、
前記コンクリート堤体２へ予め埋め込んだ鞘管１０内へフランジ７ｆ付の梁端部材７ｂを挿入し、下向きに柱頭部８ａが突設された梁材７ａを前記コンクリート堤体２、２間の河川横断方向へ配置し、同梁材７ａのフランジ７ｆと前記梁端部材７ｂのフランジ７ｆとを接合して梁７を完成し、更に梁材７ａの前記下向きに突設された柱頭部８ａと前記コンクリート堤体２、２間の基礎コンクリート５上に建てた柱材８の上端部とをフランジ８ｂで接合し、同柱材８の下端部は基礎コンクリート５上へ打設した増し打ちコンクリート５’により埋めて本固定する段階とからなることを特徴とする。
【００２０】
請求項９に記載した発明は、請求項８に記載した砂防堰堤の施工方法において、
柱材８は、その下端部をアンカー１４によりコンクリート堤体２、２間の基礎コンクリート５上に仮固定して、又は鞘管１５を用いて基礎コンクリート５上に建て、その後基礎コンクリート５上に打設した増し打ちコンクリート５’により下端部を埋めて本固定することを特徴とする。
【発明の効果】
【００２１】
本発明の砂防堰堤及びその施工方法によれば、梁７はコンクリート堤体２へ予め埋め込まれた鞘管１０内へフランジ７ｆ付の梁端部材７ｂを挿入し、同梁端部材７ｂのフランジ７ｆと梁材７ａのフランジとを接合して設置させるので、前記鞘管１０と梁端部材７ｂとの間に、コンクリートや梁７、柱材８の伸縮歪みを吸収可能なスライド可能構造とする空隙を形成することができ、熱応力を解消してコンクリートのひび割れを抑止することができる。
【００２２】
また、鞘管１０内へ梁端部材７ｂを挿入し、梁材７ａと梁端部材７ｂとをフランジ接合して梁７を組立て完成して設置するので、梁材７ａの施工誤差を充分に吸収することができる。しかも、梁材７ａ及び柱材８は着脱可能なフランジ接合なので、土石流や流木を捕捉した後に、それらを除去するために鋼製スリットダム６を解体して改修工事ができる。そのため、除去・改修工事が簡単、容易になるばかりでなく、鋼製スリットダム６は簡単に復旧工事ができる。
【００２３】
更に、梁７はコンクリート堤体２に埋め込まれた鞘管１０内へ端部を挿入して設置し、梁材７ａと柱材８の頭部とをフランジ接合して設置し、柱材８の下端部は増し打ちコンクリート５’に埋設して本固定した簡易な平面構造なので、部品点数が少なく、構造的に簡略化できる。そして、更に、コンクリートを打設してコンクリート堤体２を構築する作業と、梁７と柱材８とより成る鋼製スリットダム６を組立てる作業とを分離可能なので、コンクリート堤体２、２間の水通し部へ鋼製スリットダム６を設置するに際し、該鋼製スリットダム６の建て方を仮支持する必要がなく、施工の大幅な短期化を図ることができ、施工性及び経済性に優れている。
【発明を実施するための最良の形態】
【００２４】
河川の横断方向両岸のコンクリート堤体２、２間に鋼製スリットダム６が設置された砂防堰堤及びその施工方法であり、コンクリート堤体２、２間の基礎コンクリート５上に下端部を仮固定して建てた柱材８の上端部のフランジ８ｂと、河川の横断方向に配置した梁材７ａから下向きに突設された柱頭部８ａのフランジ８ｂとが接合されている。コンクリート堤体２には、河川中央を向く面の梁設置位置に鞘管１０が予め埋め込まれている。前記コンクリート堤体２に埋め込まれた鞘管１０内へ、フランジ付の梁端部材７ｂが挿入され、該梁端部材７ｂのフランジ７ｆと梁材７ａのフランジ7ｆとを接合して梁７を完成し鋼製スリットダム６が構成されている。前記基礎コンクリート５上へ打設した増し打ちコンクリート５’により仮固定した柱材８の下端部を埋めて本固定されている。
【００２５】
砂防堰堤１の施工方法は、先ず、河川中央を向く面の梁設置位置へ梁端部材７ｂを挿入する鞘管１０を埋め込んだコンクリート堤体２を構築する。次に、コンクリート堤体２、２間の基礎コンクリート５上に柱材８を建てる。次に、前記コンクリート堤体２へ予め埋め込んだ鞘管１０内へフランジ７ｆ付の梁端部材７ｂを挿入し、下向きに柱頭部８ａが突設された梁材７ａを前記コンクリート堤体２、２間の河川横断方向へ配置し、同梁材７ａのフランジ７ｆと前記梁端部材７ｂのフランジ７ｆとを接合して梁７を完成し、更に梁材７ａの前記下向きに突設された柱頭部８ａと、前記コンクリート堤体２、２間の基礎コンクリート５上に建てた柱材８の上端部とをフランジ８ｂで接合し、同柱材８の下端部は基礎コンクリート５上へ打設した増し打ちコンクリート５’により埋めて本固定する。
【実施例１】
【００２６】
以下に、本発明に係る砂防堰堤及びその施工方法を図１〜図１４に基づいて説明する。
図１は、梅雨や台風における豪雨等による土石流や流木等の土砂災害が懸念される山間地の河川の横断方向の両岸に構築したコンクリート堤体２、２間のいわゆる水通し部へ鋼製スリットダム６が設置された砂防堰堤１の実施例を示している。
【００２７】
この砂防堰堤１の鋼製スリットダム６は、コンクリート堤体２、２間の底部（水通し部の底面部）へ打設した基礎コンクリート５上（図２を参照）へ増し打ちコンクリート５’を打設して（図７を参照）下端部を埋設して建て込まれた柱材８の上端部が、河川横断方向に配置した梁材７ａから下向きに突設された柱頭部８ａとフランジ８ｂにより接合されている。コンクリート堤体２には、河川中央を向く面（水通し部の開口面）に鞘管１０が埋め込まれており、前記鞘管１０内へ梁７を構成するフランジ７ｆ付の梁端部材７ｂを挿入して固定され、該梁端部材７ｂのフランジ７ｆと梁材７ａのフランジ７ｆとが接合されている。
この鋼製スリットダム６の梁材７ａと柱材８は主に鋼管で製作され、共に外径が５００ｍｍ程度の大きさである。また、本実施例の梁７と柱材８とで構成された鋼製スリットダム６の大きさは、高さが４ｍ〜５ｍ程度、横幅が４ｍ〜５ｍ程度の大きさである。
【００２８】
この砂防堰堤１の施工方法は、先ず、図２に示すように、鞘管１０を設置する高さＴまで、堤体本体部コンクリート２の下部コンクリート３を打設する。この堤体本体部コンクリート２は、前記柱材８の固定用に打設する後打ちコンクリート５’の天端高さ（図４のＸの線を参照）考慮した高さに設計する。
次に、図３に示すように、前記堤体本体部コンクリート２の下部コンクリート３の上面部３ａに、梁端部材７ｂの外径よりも少し大きな内径の鞘管１０を設置し、その上に更に袖部コンクリート４を打設して前記鞘管１０をコンクリート堤体２中に埋め込み、堤体本体部コンクリート２を完成させる。
因みに、前記鞘管１０は、摩耗や衝撃に強い鋼製が好ましい。また、前記堤体本体部コンクリート２の高さは、最大１４．５ｍとする。
【００２９】
なお、上記のようにコンクリート堤体２へ鞘管１０を埋め込むに際し、鞘管１０の位置を調整するため、図８（ａ）〜（ｄ）に示す固定金具１２ａ〜１２ｄにより鞘管１０を位置決めした状態でコンクリート中に埋め込む。図８（ａ）〜（ｄ）は、前記固定金具１２ａ〜１２ｄで鞘管１０を位置決めする手段の一例を示している。
【００３０】
即ち、図８（ａ）は、コンクリート堤体２へ固定した鉄筋又はターンバックル１２ａに鞘管１０を取付けて位置決めした実施形態を示している。図８（ｂ）は、コンクリート堤体２へアンカーで固定した梁受け部材１２ｂを鞘管１０に取り付けて位置決めした実施形態を示している。図８（ｃ）は、コンクリート堤体２へアンカーで固定した鉄板１２ｃの上に鞘管１０を載置させて位置決めした実施形態を示している。図８（ｄ）は、コンクリート堤体２へアンカーで固定した架台に取付けたネジ調整金具１２ｄの上に鞘管１０を載置させて位置決めした実施形態を示している。
【００３１】
次に、図４は、コンクリート堤体２へ上記のようにして鞘管１０を埋設した上で、コンクリート堤体２、２間の基礎コンクリート５上に柱材８を建てた段階を示している。但し図示の便宜上、図４の左半分には、柱材８の下端部をアンカー１４により仮固定してコンクリート堤体２、２間の基礎コンクリート５上に建てた段階を示し、同右半分には鞘管１５を用いてコンクリート堤体２、２間の基礎コンクリート５上に建てた段階を並列して示している。前記いずれの態様でも、柱材８の上端には接合用のフランジ８ｂを備えている。なお、図４中の破線Ｘは、柱材８の下端部を固定するために後で打設する増し打ちコンクリート５’の天端高さの位置を示している。
【００３２】
次に、図５は、河川中央を向く面の梁設置位置に予め埋め込まれた鞘管１０内へ、梁７を構成するフランジ７ｆ付の梁端部材７ｂを挿入した段階を示している。
そして図６は、前記梁端部材７ｂのフランジ７ｆと、その間へ配置した梁材７ａのフランジ７ｆとをボルト接合して梁７を完成させた段階を示している。なお、前記梁端部材７ｂのフランジ７ｆと梁材７ａのフランジ７ｆとを溶接で接合することもできる。
前記梁端部材７ｂは、鞘管１０との空隙に伸縮性のある充填材を充填して位置決めしたり、又は固定金具により鞘管内で位置決めする。図９（ａ）〜（ｆ）は、梁端部材７ｂを位置決する手段の一例を示している。
【００３３】
即ち、図９（ａ）は、伸縮性の有るコーキング材１３ａを鞘管１０の開口付近に充填して梁端部材７ｂを位置決めした実施形態を示している。前記梁端部材７ｂの端面と鞘管１０との間にはクリアランスを確保している。
図９（ｂ）は、伸縮性の有る目地材又は充填材１３ｂを、前記空隙に充填して梁端部材７ｂを位置決めした実施形態を示している。前記目地材又は充填材１３ｂは、例えば、砂系、セメント系（モルタルなど）、樹脂系（エラスタイト）、ゴム系などを用いる。
なお、図９（ｃ）に示すように、前記空隙に充填材１３ｂを充填すると共に、梁端部材７ｂへ注入孔１７を設け、該注入孔１７から梁端部材７ｂの内部にも伸縮性の有る目地材又は充填材６ｂを充填して実施すると効果的である。
図９（ｄ）〜図９（ｆ）は、梁端部材７ｂに位置固定げた１３ｃを設けて同梁端部材７ｂを位置決めした実施形態を示している。因みに、図９（ｅ）に示す実施形態の場合は、鞘管１０の内面へ前記位置固定げた１３ｃの挿入ガイト１３ｃ’を設けている。
【００３４】
そして、図６に示したように、柱材８の上端部のフランジ８ｂと、河川横断方向に配置した梁材７ａから下向きに突設した柱頭部８ａのフランジ８ｂとをボルト接合して一体的に連結して鋼製スリットダム６の骨格を完成する。
最後に、図７に示したように、建てた柱材８の下端部を後打ちした増し打ちコンクリート５’の中へ埋め込み本固定する。
【００３５】
したがって、本発明の砂防堰堤及びその施工方法によれば、梁７はコンクリート堤体２へ予め埋め込まれた鞘管１０内へフランジ７ｆ付の梁端部材７ｂを挿入し、同梁端部材７ｂのフランジ７ｆと梁材７ａのフランジとを接合して設置させるので、前記鞘管１０と梁端部材７ｂとの間に、コンクリートや梁７、柱材８の伸縮歪みを吸収可能なスライド可能構造とする空隙を形成することができ、熱応力を解消してコンクリートのひび割れを抑止することができる。
【００３６】
また、鞘管１０内へ梁端部材７ｂを挿入し、梁材７ａと梁端部材７ｂとをフランジ接合して梁７を組立て完成して設置するので、梁材７ａの施工誤差を充分に吸収することができる。しかも、梁材７ａ及び柱材８は着脱可能なフランジ接合なので、土石流や流木を捕捉した後に、それらを除去するために鋼製スリットダム６を解体して改修工事ができる。そのため、除去・改修工事が簡単、容易になるばかりでなく、鋼製スリットダム６は簡単に復旧工事ができる。
【００３７】
更に、梁７はコンクリート堤体２に埋め込まれた鞘管１０内へ端部を挿入して設置し、梁材７ａと柱材８の頭部とをフランジ接合して設置し、柱材８の下端部は増し打ちコンクリート５’に埋設して本固定した簡易な平面構造なので、部品点数が少なく、構造的に簡略化できる。そして、更に、コンクリートを打設してコンクリート堤体２を構築する作業と、梁７と柱材８とより成る鋼製スリットダム６を組立てる作業とを分離可能なので、コンクリート堤体２、２間の水通し部へ鋼製スリットダム６を設置するに際し、該鋼製スリットダム６の建て方を仮支持する必要がなく、施工の大幅な短期化を図ることができ、施工性及び経済性に優れている。
【実施例２】
【００３８】
図１０の砂防堰堤１は、コンクリート堤体２、２間の間隔が広い場合に、該コンクリート堤体２間の中間位置にコンクリート隔壁１８が構築され、該コンクリート隔壁１８とコンクリート堤体２との間に鋼製スリットダム６が設置された実施例を示している。実施例２の砂防堰堤１は、鞘管１０を埋め込んだコンクリート隔壁１８をコンクリート堤体２の中間位置に構築する他は、上記実施例１と同様の施工方法と構成で実施される。
【実施例３】
【００３９】
図１１及び図１２の砂防堰堤１は、ダム高（鋼製高）が高く、柱材８が長くなり、１本の梁７のみでは、巨礫を押し止めて下流に流れることを防ぐには不十分である場合の実施例３を示している。即ち、柱材８の高さ方向の中間位置にも、対応するフランジ付の梁端部材７ｂを挿入する鞘管１０をコンクリート堤体２、２に埋め込んで設置して同鞘管１０内へ梁端部材７ｂを挿入し、上下の向きにフランジ８ｂ付きの柱継手部８ｃを突設した第二の梁材７ａ’を河川の横断方向に配置し、その両端を前記の梁端部材７ｂとフランジ接合する。そして、下向きの柱継手部８ｃは上記柱材８の上端とフランジ８ｂで接合し、また、上向きの柱継手部８ｃは上方の梁材７ａから下向きに突設した柱頭部８ａとの間に継ぎ足し柱８ｄを用いてそれぞれフランジ接合して一体的に連結した第二の梁７’が設置した実施例３を示している。
実施例３の砂防堰堤１は平面的に見ると、鋼製スリットダム６を構成する上記梁７の下流側に、前記梁７と水平方向の繋ぎ材１１を介してフランジ１１ａで接合された下流側梁材９が、その両端をコンクリート堤体２へ埋め込んだ鞘管１０内へ挿入したフランジ７ｆ付の梁端部材７ｂとフランジ接合して固定された立体骨組構造に構成され、巨礫や流木等による強い衝撃を受けても十分な捕捉が得られる構成である。
因みに、図１１に示す、鋼製スリットダム６の大きさは、高さが７ｍ〜８ｍ程度、横幅が６ｍ〜８ｍ程度、奥行きが２ｍ〜３ｍ程度である。
【００４０】
なお、図１１で示した砂防堰堤１よりも、ダム高（鋼製高）が高く、柱材８が長くなる場合には、図１３に示すように、複数本の梁材７ａ及び下流側梁材９を、上記図１１で示した実施形態と同様の施工方法で設置して実施することも勿論可能である。因みに、図１３に示す、鋼製スリットダム６の大きさは、高さが６ｍ〜８ｍ程度、横幅が１０ｍ〜１１ｍ程度、奥行きが２ｍ〜３ｍ程度である。
【００４１】
以上、本発明を実施例に基づいて説明したが、勿論、図示した実施例の限りではない。本発明の要旨及び技術的思想を逸脱しないかぎり、当業者の変形、応用にしたがい様々な実施例が成立することを、敢えてここに、言及する次第です。
【図面の簡単な説明】
【００４２】
【図１】本発明に係る砂防堰堤を示す斜視図である。
【図２】本発明に係る砂防堰堤の施工手順のコンクリート工事段階を示す立面図である。
【図３】本発明に係る砂防堰堤のコンクリート堤体を完成させた段階を示す立面図である。
【図４】本発明に係る砂防堰堤の鋼材組み立て手順の途中段階を示す立面図である。
【図５】本発明に係る砂防堰堤の鋼材組み立て手順の途中段階を示す立面図である。
【図６】本発明に係る砂防堰堤の鋼材組み立て手順の終盤段階を示す立面図である。
【図７】本発明に係る砂防堰堤の完成状態を示す立面図である。
【図８】（ａ）〜（ｄ）は鞘管を固定金具で位置決めする手段を示す説明図である。
【図９】（ａ）〜（ｆ）は鞘管内へ挿入した梁端部材を位置決めする手段を示す説明図である。
【図１０】実施例２の砂防堰堤を示す立面図である。
【図１１】実施例３の砂防堰堤を示す斜視図である。
【図１２】図１１に示した砂防堰堤の縦断面図である。
【図１３】実施例３の砂防堰堤の異なる実施形態を示す斜視図である。
【符号の説明】
【００４３】
１              砂防堰堤
２              コンクリート堤体
３              堤体下部コンクリート
４              袖部コンクリート
５              基礎コンクリート
５’ 増し打ちコンクリート
６              鋼製スリットダム
７              梁
７ａ            梁材
７ｂ            梁端部材
７ｆ フランジ
８              柱材
８ａ            柱頭部
８ｂ フランジ
９              下流側梁材
１０            鞘管
１１            繋ぎ材
１２ａ〜１２ｄ  鞘管用の固定金具
１３ａ〜１３ｃ  鞘管へ挿入される梁端部材の位置決め手段
【図１】
0004787053.tif 000002
【図２】
0004787053.tif 000003
【図３】
0004787053.tif 000004
【図４】
0004787053.tif 000005
【図５】
0004787053.tif 000006
【図６】
0004787053.tif 000007
【図７】
0004787053.tif 000008
【図８】
0004787053.tif 000009
【図９】
0004787053.tif 000010
【図１０】
0004787053.tif 000011
【図１１】
0004787053.tif 000012
【図１２】
0004787053.tif 000013
【図１３】
0004787053.tif 000014